(57)【要約】【課題】簡易な構成でユーザが所望する操作を行うことが可能なタッチパネル装置及びその制御方法を提供する。【解決手段】タッチパネル装置を、タッチパネル機能を有する画面とハードウェアキーと、画面の表面に異物が付着したことを検出する検出部と、検出部が画面の表面に異物が付着したことを検出した場合、画面に表示される割り込みイベント用のボタンの機能をハードウェアキーに割り付け、ボタンを無効にする機能割付部と、ボタンの機能がハードウェアキーに割り付けられたことを通知する通知部とを備える構成とする。【選択図】図２
2014229214.tif 000002
【特許請求の範囲】
【請求項１】
タッチパネル機能を有する画面と、
ハードウェアキーと、
前記画面の表面に異物が付着したことを検出する検出部と、
前記検出部が前記画面の表面に異物が付着したことを検出した場合、前記画面に表示される割り込みイベント用のボタンの機能を前記ハードウェアキーに割り付け、前記ボタンを無効にする機能割付部と、
前記ボタンの機能が前記ハードウェアキーに割り付けられたことを通知する通知部と
を備えることを特徴とするタッチパネル装置。
【請求項２】
前記ハードウェアキーは複数のキーを有し、
前記機能割付部は、前記ボタンの機能を前記複数のキーの組み合わせに対して割り付ける
ことを特徴とする請求項１に記載のタッチパネル装置。
【請求項３】
タッチパネル機能を有する画面とハードウェアキーを備えるタッチパネル装置の制御方法において、
前記画面の表面に異物が付着したことを検出する検出ステップと、
前記検出ステップにより前記画面の表面に異物が付着したことが検出された場合、前記画面に表示される割り込みイベント用のボタンの機能を前記ハードウェアキーに割り付け、前記ボタンを無効にする機能割付ステップと、
前記機能割付ステップにより前記ボタンの機能が前記ハードウェアキーに割り付けられたことを通知する通知ステップと
を備えることを特徴とするタッチパネル装置の制御方法。
【請求項４】
タッチパネル機能を有する画面の表面に異物が付着したことを検出する検出ステップと、
前記検出ステップにより前記画面の表面に異物が付着したことが検出された場合、前記画面に表示される割り込みイベント用のボタンの機能をハードウェアキーに割り付け、前記ボタンを無効にする機能割付ステップと、
前記機能割付ステップにより前記ボタンの機能が前記ハードウェアキーに割り付けられたことを通知する通知ステップと
をコンピュータに実行させるためのプログラム。
【発明の詳細な説明】
【技術分野】
【０００１】
本件開示の発明は、タッチパネル装置、タッチパネル装置の制御方法及びプログラムに関する。
【背景技術】
【０００２】
近年、スマートフォンに代表される、タッチパネルを有するディスプレイが搭載された携帯型の電子機器が普及している。ユーザが指等でディスプレイ上の所望の位置をタッチしたり、ディスプレイ上で指を所定の順序で動かしたりすることで、電子機器がタッチされた位置や指の動きを検出する。そして、電子機器が、検出した位置や動きに応じて種々の処理を実行する。
【０００３】
タッチパネルを動作させる方法としては、例えば、ディスプレイの表面全体に電界を形成し、表面電荷の変化量に基づいて指等でタッチした位置を検出する静電容量方式が挙げられる。また、別の例としては、超音波表面弾性波の減衰によって指等でタッチした位置を検出する超音波表面弾性波方式が挙げられる。その他にも、ＬＥＤ（Light-Emitting Diode）等の発光素子とフォトトランジスタ等の受光素子を用いてディスプレイに赤外線のグリッドを形成し、赤外線が遮光された位置から指等でタッチした位置を検出する赤外線走査方式等も採用されている。
【０００４】
ただし、これらの種々の方式では、ディスプレイに水滴やゴミ等が付着した場合も、指等でタッチされたものと認識される。このため、これらの付着物の付着位置がユーザの指がタッチした位置と誤検出されることがあった。そこで、このような誤検出を防止するために、種々の対策が提案されている。
【０００５】
例えば、特許文献１には、タッチパネルのディスプレイを構成する基板間にスペーサを設ける構成が開示されている。そして、特許文献１には、表面弾性波がディスプレイの最表面ではなく基板の内面を伝播するよう構成することで、水滴等がディスプレイに付着した場合の誤検出を防止する構成が開示されている。また、特許文献２には、タッチパネル機能付きの液晶ディスプレイが搭載された携帯端末において、液晶ディスプレイが水に濡れても誤動作を防止する構成が開示されている。特許文献２では、液晶ディスプレイの表示装置に水滴センサや近接センサ等が設けられている。そして、水滴センサ等が所定の水滴量を検知した際に、複数の近接センサ等を組み合わせてユーザの指の動きを検知することで画面表示の制御が行われる。
【先行技術文献】
【特許文献】
【０００６】
【特許文献１】特開２００６−３４３９１８号公報
【特許文献２】特開２０１２−２３８１５２号公報
【発明の概要】
【発明が解決しようとする課題】
【０００７】
しかし、上記の文献に開示されている技術では、ユーザが水滴等が付着した画面を操作する必要があったり、水滴センサに加えて近接センサ等の構成要素を追加したりする必要がある。
【０００８】
そこで、本件開示の技術は、上記の事情に鑑みてなされたものであり、その目的とするところは、簡易な構成でユーザが所望する操作を行うことが可能なタッチパネル装置、タ
ッチパネル装置の制御方法及びプログラムを提供することである。
【課題を解決するための手段】
【０００９】
本件開示のタッチパネル装置は、タッチパネル機能を有する画面と、ハードウェアキーと、画面の表面に異物が付着したことを検出する検出部と、検出部が画面の表面に異物が付着したことを検出した場合、画面に表示される割り込みイベント用のボタンの機能をハードウェアキーに割り付け、ボタンを無効にする機能割付部と、ボタンの機能がハードウェアキーに割り付けられたことを通知する通知部とを備える。
【発明の効果】
【００１０】
本件開示の発明によれば、簡易な構成でユーザが所望する操作を確実に行うことが可能なタッチパネル装置、タッチパネル装置の制御方法及びプログラムを提供することができる。
【図面の簡単な説明】
【００１１】
【図１】図１は、一実施形態における携帯電話端末のハードウェア構成を示す概略構成図である。
【図２】図２は、一実施形態における携帯電話端末の機能部を示す機能構成図である。
【図３Ａ】図３Ａは、一実施形態におけるタッチパネルの構造を示す模式図である。
【図３Ｂ】図３Ｂは、変形例におけるタッチパネルの構造を示す模式図である。
【図４】図４は、一実施形態における携帯電話端末において実行される処理のフローチャートを示す図である。
【発明を実施するための形態】
【００１２】
以下、一実施形態におけるタッチパネル装置について、図面を参照しながら説明する。
【００１３】
本実施形態では、タッチパネル装置の一例として携帯電話端末１０を挙げて説明する。図１に示すように、本実施形態における携帯電話端末１０は、アンテナ１０１、電源回路１０２、ＣＰＵ１０３、ボタン１０４、メモリ１０５、ＬＣＤ（Liquid Crystal Display）１０６、カメラ１０７、外部Ｉ／Ｏ（Input/Output）１０８、スピーカ１０９を備える。
【００１４】
携帯電話端末１０は、アンテナ１０１を経由して基地局等外部の無線送受信装置と無線通信を行う。電源回路１０２は、携帯電話端末１０内の電池（図示せず）の電力を携帯電話端末１０の各部に供給する回路である。ＣＰＵ１０３は、無線通信の変復調、ユーザによる種々の操作、携帯電話端末１０において実行される各種アプリケーションの処理等を行うプロセッサである。なお、本実施形態における種々の処理を１以上のプロセッサを用いて実行する構成としてもよい。ボタン１０４は、ユーザによる携帯電話端末１０の操作を受け付ける。メモリ１０５は、ＣＰＵ１０３が種々の処理を実行する際に一時的な記憶領域として使用される。すなわち、メモリ１０５はワークエリアとして用いられ、各種アプリケーションや端末番号等の携帯電話端末固有の情報が格納される。また、メモリ１０５には、ユーザが入力した設定やアプリケーションの情報、ユーザに提供されるコンテンツデータ等が格納される。
【００１５】
ＬＣＤ１０６は、ＣＰＵ１０３により実行される種々の処理の処理結果や処理状態、コンテンツ等を表示する。カメラ１０７は、ユーザの操作に従って撮影を行う。外部Ｉ／Ｏ１０８は、携帯電話端末１０が外部機器と連携するための各種インターフェイスである。外部Ｉ／Ｏ１０８としては、例えば、ＵＳＢ（Universal Serial Bus）、無線ＬＡＮ（Local Area Network）（例えばＷｉ−Ｆｉ（Wireless Fidelity）（登録商標））、Ｂｌｕ
ｅｔｏｏｔｈ（登録商標）等の各種通信インターフェイス、赤外線出力インターフェイス、赤外線受光部等が存在する。スピーカ１０９は、ユーザが通話する際に使用される。また、スピーカ１０９は、携帯電話端末１０における音楽や動画等の再生、アラーム機能を利用する際の音声出力、着信時の音声通知等にも使用される。
【００１６】
図２に示すように、本実施形態における携帯電話端末１０は、携帯電話ネットワーク２０と無線通信を行い、音声の送受信処理やデータ通信処理等を行う。また、携帯電話端末１０のメモリ１０５に記憶されているアプリケーションが、ＣＰＵ１０３によって実行され、処理結果が適宜ＬＣＤ１０６に表示される。このようなアプリケーションにより、携帯電話端末１０は、無線制御部２００、音声制御部３００、アプリケーション制御部４００、ハードウェア部５００、表示部６００、音声Ｉ／Ｆ（Interface）部７００、外部接
続部８００として機能する。
【００１７】
本実施形態においては、無線制御部２００は、さらに無線変復調処理部２０１及び無線ベースバンド処理部２０２としての機能も有する。また、音声制御部３００は、音声処理部３０１、Ａ／Ｄ変換部３０２、音声符号化部３０３としての機能も有する。アプリケーション制御部４００は、アプリケーションソフト処理部４０１としての機能も有する。ハードウェア部５００は、電源キー５０１及び機能選択キー５０２としての機能も有する。表示部６００は、通知部６０１及び検出部６０２としての機能も有する。
【００１８】
無線制御部２００は、アンテナ１０１を経由して携帯電話ネットワーク２０と無線通信を行う。無線変復調処理部２０１は、アンテナ１０１から携帯電話ネットワーク２０に送信される情報の変調処理や、アンテナ１０１によって携帯電話ネットワーク２０から受信した信号の復調処理を行う。無線ベースバンド処理部２０２は、ＣＤＭＡ（Code Division Multiple Access）やＬＴＥ（Long Term Evolution）等の各種通信方式に従って信号処理を行う。無線制御部２００において取得された情報や生成された情報は、音声制御部３００やアプリケーション制御部４００に送られる。
【００１９】
音声制御部３００は、無線制御部２００から受信したデータのエンコードやデコードを行うコーデックの機能を有する。音声処理部３０１は、データの圧縮や伸長等の処理や受信したアナログ音声信号に対するサンプリングや量子化等の処理を行う。Ａ／Ｄ変換部３０２は、アナログ音声信号をデジタル音声信号に変換する。音声符号化部３０３は、波形符号化方式や分析合成符号化方式やハイブリッド符号化方式等、各種符号化方式に従って音声を符号化する。音声処理部３０１は、種々の処理を行った音声情報を無線制御部２００や音声Ｉ／Ｆ部７００に送信する。
【００２０】
アプリケーション制御部４００は、ユーザの操作や無線制御部２００から受信したデータに基づいて各種アプリケーションの処理を実行する。アプリケーション制御部４００が、機能割付部の一例である。アプリケーションソフト処理部４０１は、携帯電話端末１０の各部から受信したデータを使用し、各種アプリケーションの実行内容に応じたデータの処理を行う。ハードウェア部５００は、ユーザからの操作を受け付けるハードウェアキー等を有する。電源キー５０１は、ユーザが携帯電話端末１０の電源投入に使用するキーである。機能選択キー５０２は、携帯電話端末１０の電源投入後に、ユーザが各種アプリケーションの実行時の処理に関する指示を行う。
【００２１】
表示部６００は、アプリケーション制御部４００から受信したデータをＬＣＤ１０６に表示する。通知部６０１は、携帯電話端末１０が携帯電話ネットワーク２０から通話に関する着信要求を受信した際に、当該着信があったことをＬＣＤ１０６に表示してユーザに通知する。検出部６０２は、後述するように、ＬＣＤ１０６に水滴等の異物が付着したことを検出する。音声Ｉ／Ｆ部７００は、音声制御部３００から受信した音声信号を用いて
音声出力を行ったり、マイク（図示せず）から入力された音声を音声制御部３００に送信したりする。外部接続部８００は、種々の外部機器と接続して情報の入出力を行う。
【００２２】
次に、図３Ａ及び図３Ｂを参照しながら、本実施形態の一例として表示部６００に水滴が付着したことを検出するための構成について説明する。まず、図３Ａに示すように、本実施形態の表示部６００は、光透過性を有するタッチパネル６１０と、液晶パネル６１１を含むＬＣＤ１０６とを有する。タッチパネル６１０は、液晶パネル６１１とともにボタン等を表示する画面である。そして、タッチパネル６１０は、ユーザが指等で表示されたボタンを選択することで、選択されたボタンに対応する機能を実行することが可能なタッチパネル機能を有する。また、発光部６１２と受光部６１３とが、タッチパネル６１０と液晶パネル６１１との間に設けられている。発光部６１２と受光部６１３は、図２の検出部６０２として作用する。本実施形態では、発光部６１２は、タッチパネル６１０に向けて赤外光を出射する。また、受光部６１３は発光部６１２から出射された赤外光を受光する。
【００２３】
タッチパネル６１０は、ユーザが携帯電話端末１００の操作時にタッチするパネルである。ユーザは、タッチパネル６１０を指で押下する等してＬＣＤ１０６に表示された情報の選択等を行う。図３Ａには、タッチパネル６１０上に水滴６１４が付着していない場合と水滴６１４が付着している場合とで、発光部６１２からの出射光が受光部６１３に到達する様子を模式的に示す。
【００２４】
タッチパネル６１０上の位置Ｐに水滴６１４が付着していない場合、発光部６１２から出射されてタッチパネル６１０上面の位置Ｐに進行する赤外光は、位置Ｐにおいて全反射し、受光部６１３に進行する。ここで、タッチパネル６１０の上面とは、ユーザが指等で触れる面を指す。タッチパネル６１０の上面における赤外光の全反射については、タッチパネル６１０の屈折率やタッチパネル６１０の上面と接する空気の屈折率によって、スネルの法則に基づいて臨界角が決まり、その仕組みは周知であるためここでは説明を省略する。
【００２５】
また、タッチパネル６１０上の位置Ｐに水滴６１４が付着している場合、発光部６１２から出射された赤外光は、位置Ｐにおいて一部が反射して受光部６１３に進行する。そして、残りの赤外光は、タッチパネル６１０の上面と水滴６１４との界面で屈折して水滴６１４内へ進行する。このため、タッチパネル６１０上の位置Ｐに水滴６１４が付着していない場合に比べて、発光部６１２から出射された赤外光の受光部６１３による受光量が減少する。本実施形態では、携帯電話端末１００には、発光部６１２と受光部６１３の組が複数設けられている。そして、本実施形態では、アプリケーション制御部４００が検出部６０２を構成する受光部の受光量をチェックし、受光部６１３の赤外光の受光量が所定の閾値を下回った場合にタッチパネル６１０に水滴が付着していると判断する。
【００２６】
次に、図４を参照しながら、携帯電話端末１００における割り込みイベント発生時の処理について説明する。以下の説明において、各ステップはＳと略記する。本実施形態においては、携帯電話端末１００の電源がオンになると図４に示すフローチャートが開始する。また、以下では、携帯電話端末１００において発生する割り込みイベントの一例として着信イベントを挙げて説明する。図４に示すフローチャートの各処理は、ＣＰＵ１０３によって実行される。
【００２７】
Ｓ１０１において、無線制御部２００が、アンテナ１０１を介して携帯電話ネットワーク２０から携帯電話端末１００宛ての着信信号を受信する。次いで、処理はＳ１０２に進められる。Ｓ１０２では、アプリケーション制御部４００がアプリケーションソフト処理部４０１を制御して電話アプリケーションを起動する。本実施形態において、電話アプリ
ケーションは、携帯電話ネットワーク２００から着信信号を受信した場合や、ユーザが携帯電話端末１００を操作して発信信号を携帯電話ネットワーク２０に送信する場合に、携帯電話端末１００で通話を行うための処理を実行するためのアプリケーションである。上記の通り、電話アプリケーションはメモリ１０５に記憶されている。以下、アプリケーションソフト処理部４０１が実行する各種アプリケーションは、メモリ１０５に記憶されている。なお、各種アプリケーションは、単独で実行することも、並列で実行することもできる。次いで、処理はＳ１０３に進められる。
【００２８】
Ｓ１０３において、ＣＰＵ１０３は、検出部６０２を制御して水滴センサを起動する。水滴センサが起動されると、上記の通り、発光部６１２から赤外光が出射され、受光部６１３によって赤外光が受光される。受光部６１３における受光量に関する情報は、アプリケーション制御部４００に送信される。本実施形態では、アプリケーション制御部４００は、アプリケーションソフト処理部４０１を制御して、受光部６１３における受光量が所定の閾値を下回ったか否かを判定する水滴判定用のアプリケーションを起動する。次いで、処理はＳ１０４に進められる。Ｓ１０４において、水滴判定用のアプリケーションにより、受光部６１３における受光量が所定の閾値を下回ったか否かが判定される。受光部６１３における受光量が所定の閾値を下回った場合は（Ｓ１０４：Ｙｅｓ）、タッチパネル６１０に水滴が付着しているとみなされ、処理はＳ１０５に進められる。また、受光部６１３における受光量が所定の閾値以上である場合は（Ｓ１０４：Ｎｏ）、タッチパネル６１０には水滴は付着していないとみなされ、処理はＳ１０９に進められる。
【００２９】
本実施形態では、携帯電話端末１００において着信信号を受信すると、ＬＣＤ１０６によって、当該着信に応答して通話を実行するための通話ボタンがタッチパネル６１０上に表示される。ユーザは、タッチパネル６１０上で通話ボタンが表示されている位置を押下することにより、通話ボタンの機能を実行する。そのため、タッチパネル６１０に水滴等の異物が付着している場合、当該異物がユーザの指等と誤認識され、ユーザが通話ボタンに触れていなくとも通話ボタンの機能が実行される可能性がある。また、ユーザが通話ボタンを押して通話を開始しようとしても、通話ボタン以外のタッチパネルの部分が押されたと誤認識され、通話ボタンが効かなくなることがある。そこで、本実施形態では、以下に説明するＳ１０５〜Ｓ１０８の処理を行うことにより、タッチパネル６１０に異物が付着している場合に、タッチパネルの誤認識を抑止し、タッチパネル上の通話ボタンの機能が実行されないようにする。
【００３０】
Ｓ１０５において、アプリケーション制御部４００は、アプリケーションソフト処理部４０１に対して、タッチパネル６１０に表示されている通話ボタンの機能を、ハードウェア部が備えるいずれかのハードウェアキーに割り付けるよう要求する。次いで、処理はＳ１０６に進められる。Ｓ１０６において、アプリケーションソフト処理部４０１は、通話ボタンの割り付け処理用のアプリケーションを実行する。通話ボタンの割り付け処理用のアプリケーションの一例としては、ハードウェアキードライバが挙げられる。当該アプリケーションが実行されることで、タッチパネル６１０に表示されている通話ボタンの機能が、ハードウェア部５００のキーに割り当てられる。通話ボタンの機能は、例えば、電源キー５０１若しくはそれ以外の選択機能キー５０２のいずれかのキーに割り当てられたり、これらの複数のキーの組み合わせに対して割り当てられたりする。なお、通話ボタンの機能が１つのキーに割り当てられる場合、ユーザが当該キーを誤操作して当該機能を実行する可能性がある。そこで、当該機能を複数のキーの組み合わせに対して割り当てる場合は、ユーザによる誤操作を防止することができる。通話ボタンの割り付け処理が完了すると、処理はＳ１０７に進められる。
【００３１】
Ｓ１０７において、アプリケーションソフト処理部４０１は、通話ボタンの割り付け処理が完了したことを、電話アプリケーションに通知する。電話アプリケーションは、通話
ボタンの割り付け処理の完了通知を受信すると、タッチパネル６１０に表示されている通話ボタンを無効化する。これにより、タッチパネル６１０上の通話ボタンの機能が無効になり、電話アプリケーションは、この通話ボタンをタッチする等の操作を受け付けない状態となる。したがって、タッチパネル６１０に付着している異物がユーザの指等と誤認識されることがなくなる。次いで、処理はＳ１０８に進められる。
【００３２】
Ｓ１０８において、電話アプリケーションは、タッチパネル６１０に表示される通話ボタンが無効になり、通話ボタンの機能がＳ１０６において決定されたキーに割り付けられたことを通知するメッセージを表示部６００に送信する。そして、表示部６００は電話アプリケーションから受信した当該メッセージを表示部６０１に表示する。次いで、処理はＳ１０９に進められる。Ｓ１０９において、電話アプリケーションは、ユーザからのＳ１０６において決定されたキーの操作に従って、通話処理を行う。これにより、携帯電話端末１００において、タッチパネルが誤認識をする現象を回避しつつ、ユーザによるハードウェアキーの操作に基づいて通話ボタンの機能を実行することができる。
【００３３】
以上が本実施形態に関する説明であるが、上記のタッチパネル装置の構成や処理は、上記の実施形態に限定されるものではなく、本発明の技術的思想と同一性を失わない範囲内において種々の変更が可能である。例えば、上記の説明では、タッチパネル装置の一例として携帯電話端末１０を挙げた。しかし、ハードウェアキーを備えるタッチパネル装置であれば、タブレットＰＣ（Personal Computer）等、携帯電話端末に限らず種々の電子情
報機器にも上記の構成を適用することができる。また、上記の実施形態では、タッチパネル６１０に異物が付着したことを検出する検出部として発光部６１２と受光部６１３を図３Ａのように配置する構成を採用したが、例えば図３Ｂに示す構成を採用してもよい。なお、図３Ｂに示す構成要素は、図３Ａと同じであるため、同一の符号を付す。
【００３４】
図３Ｂに示す構成では、タッチパネル６１０と液晶パネル６１１とが重ね合わされている。さらに、重ね合わせられたタッチパネル６１０と液晶パネル６１１の下に、発光部６１２と受光部６１３が配置されている。図３Ａと同様、タッチパネル６１０上の位置Ｑに水滴が付着していない場合は、発光部６１２からの出射光は、位置Ｑに進行するとタッチパネル６１０と空気との界面で全反射し、受光部６１３に進行する。また、タッチパネル６１０上の位置Ｑに水滴が付着している場合は、発光部６１２から出射した赤外光は、位置Ｑに進行すると、一部がタッチパネル６１０と空気との界面で反射し、残りが受光部６１３に進行する。したがって、図３Ａに示す構成と同様、タッチパネル６１０に水滴が付着している場合は、受光部６１３の受光量が減少する。その他の携帯電話端末１００等の構成は、上記の実施形態と同じであるため、詳細な説明は省略する。
【００３５】
また、上記の実施形態では、発光部６１２から赤外光を出射して受光部６１３で受光する構成とした。しかし、発光部６１２の代わりにタッチパネル６１０用のバックライトを使用してもよい。すなわち、アプリケーション制御部４００は、受光部６１３におけるバックライトの受光量の減少に基づいてタッチパネル６１０に水滴等が付着しているか否かを判定してもよい。そして、上記の説明では、割り込みイベントの一例として着信イベントを挙げたが、他にもメール着信時のメール確認ボタンや、タイマ設定時のアラーム通知時におけるアラーム解除ボタン、緊急地震速報等の不定期に受信するメッセージの確認ボタン等、種々の割り込みイベントにおけるボタンの割り付け処理にも適用できる。これらのボタンの割り付け処理は、上記の着信ボタンの割り付け処理と同様であるため、詳細な説明は省略する。
【００３６】
《コンピュータが読み取り可能な記録媒体》
コンピュータその他の機械、装置（以下、コンピュータ等）に上記情報処理装置の設定を行うための管理ツール、ＯＳその他を実現させるプログラムをコンピュータ等が読み取
り可能な記録媒体に記録することができる。ここで、設定とは、例えばボタン機能の割付等を意味する。そして、コンピュータ等に、この記録媒体のプログラムを読み込ませて実行させることにより、その機能を提供させることができる。ここで、コンピュータは、例えば、携帯電話端末等である。
【００３７】
ここで、コンピュータ等が読み取り可能な記録媒体とは、データやプログラム等の情報を電気的、磁気的、光学的、機械的、または化学的作用によって蓄積し、コンピュータ等から読み取ることができる記録媒体をいう。このような記録媒体のうちコンピュータ等から取り外し可能なものとしては、例えばフレキシブルディスク、光磁気ディスク、ＣＤ−ＲＯＭ、ＣＤ−Ｒ／Ｗ、ＤＶＤ、ブルーレイディスク、ＤＡＴ、８ｍｍテープ、フラッシュメモリ等のメモリカード等がある。また、コンピュータ等に固定された記録媒体としてハードディスクやＲＯＭ等がある。
【００３８】
以上の実施形態に関し、さらに以下の付記を開示する。
【００３９】
（付記１）
タッチパネル機能を有する画面と、
ハードウェアキーと、
前記画面の表面に異物が付着したことを検出する検出部と、
前記検出部が前記画面の表面に異物が付着したことを検出した場合、前記画面に表示される割り込みイベント用のボタンの機能を前記ハードウェアキーに割り付け、前記ボタンを無効にする機能割付部と、
前記ボタンの機能が前記ハードウェアキーに割り付けられたことを通知する通知部と
を備えることを特徴とするタッチパネル装置。
【００４０】
（付記２）
前記ハードウェアキーは複数のキーを有し、
前記機能割付部は、前記ボタンの機能を前記複数のキーの組み合わせに対して割り付ける
ことを特徴とする付記１に記載のタッチパネル装置。
【００４１】
（付記３）
タッチパネル機能を有する画面とハードウェアキーを備えるタッチパネル装置の制御方法において、
前記画面の表面に異物が付着したことを検出する検出ステップと、
前記検出ステップにより前記画面の表面に異物が付着したことが検出された場合、前記画面に表示される割り込みイベント用のボタンの機能を前記ハードウェアキーに割り付け、前記ボタンを無効にする機能割付ステップと、
前記機能割付ステップにより前記ボタンの機能が前記ハードウェアキーに割り付けられたことを通知する通知ステップと
を備えることを特徴とするタッチパネル装置の制御方法。
【００４２】
（付記４）
前記ハードウェアキーは複数のキーを有し、
前記機能割付ステップは、前記ボタンの機能を前記複数のキーの組み合わせに対して割り付ける
ことを特徴とする付記３に記載のタッチパネル装置の制御方法。
【００４３】
（付記５）
タッチパネル機能を有する画面の表面に異物が付着したことを検出する検出ステップと
、
前記検出ステップにより前記画面の表面に異物が付着したことが検出された場合、前記画面に表示される割り込みイベント用のボタンの機能をハードウェアキーに割り付け、前記ボタンを無効にする機能割付ステップと、
前記機能割付ステップにより前記ボタンの機能が前記ハードウェアキーに割り付けられたことを通知する通知ステップと
をコンピュータに実行させるためのプログラム。
【００４４】
（付記６）
前記ハードウェアキーは複数のキーを有し、
前記機能割付ステップは、前記ボタンの機能を前記複数のキーの組み合わせに対して割り付ける
ことを特徴とする付記５に記載のプログラム。
【符号の説明】
【００４５】
１０    携帯電話端末
１０１    アンテナ
２００    無線制御部
３００    音声制御部
４００    アプリケーション制御部
５００    ハードウェア部
６００    表示部
６１０    タッチパネル
６１１    液晶パネル
６１２    発光部
６１３    受光部
【図１】
2014229214.tif 000003
【図２】
2014229214.tif 000004
【図３Ａ】
2014229214.tif 000005
【図３Ｂ】
2014229214.tif 000006
【図４】
2014229214.tif 000007